(57)【要約】【課題】  青色の色純度と輝度を向上させることができる液晶表示装置を提供する。【解決手段】  バックライト装置と、液晶表示パネルと、を有する液晶表示装置であって、バックライト装置は、光源と、導光板とを有し、液晶表示パネルは、カラーフィルタ基板と、表示用アレイ基板とを有し、カラーフィルタ基板は、赤色着色層と、緑色着色層と、クリア層とを有し、導光板は、光入射面と光射出面を有し、光源は、光入射面に光が導入されるように配置されるとともに、光源は、白色光を発する白色発光部と、青色光を発する青色発光部とを有し、カラーフィルタ基板に形成されたクリア層を通して青色光を透過させるように構成する。【選択図】  図１
2013205544.tif 000002
【特許請求の範囲】
【請求項１】
バックライト装置と、液晶表示パネルと、を有する液晶表示装置であって、
前記バックライト装置は、光源と、導光板とを有し、
前記液晶表示パネルは、カラーフィルタ基板と、表示用アレイ基板とを有し、
前記カラーフィルタ基板は、少なくとも赤色着色層と、緑色着色層と、クリア層とを有し、
前記導光板は、光入射面と光射出面を有し、
前記光源は、前記光入射面に光が導入されるように配置されるとともに、当該光源は、白色光を発する白色発光部と、青色光を発する青色発光部とを有することを特徴とする液晶表示装置。
【請求項２】
前記光源は、前記導光板の片側端面である光入射面に沿って配置されており、
前記光源を構成する前記白色発光部は、第１発光素子と第１封止体とを有し構成されており、前記光源を構成する前記青色発光部は、第２発光素子と第２封止体とを有し構成されており、
前記白色発光部のベースとなる第１発光素子の設置数が、前記青色発光部のベースとなる第２発光素子の設置数よりも多い請求項１に記載の液晶表示装置。
【請求項３】
前記白色発光部のベースとなる第１発光素子の設置数をＳｗ、前記青色発光部のベースとなる第２発光素子の設置数をＳｂとした場合、Ｓｂ＝（０．３〜０．７）Ｓｗに設定されてなる請求項２に記載の液晶表示装置。
【請求項４】
前記光源は、基板と、この基板の上に形成された白色光を発する白色発光部と、青色光を発する青色発光部とを有して構成される請求項１ないし請求項３のいずれかに記載の液晶表示装置。
【請求項５】
フィールドシーケンシャル方式で駆動され、フィールドシーケンシャル方式による色表示手法を可能とするための制御回路部を備えてなる請求項１ないし請求項４のいずれかに記載の液晶表示装置。
【請求項６】
前記白色発光部から発光される時間帯と、前記青色発光部から発光される時間帯とが、重なることなく区分されて操作される請求項１ないし請求項５のいずれかに記載の液晶表示装置。
【請求項７】
前記バックライト装置は、エッジライト方式で構成される請求項１ないし請求項６のいずれかに記載の液晶表示装置。
【請求項８】
前記導光板の光射出面側に光学シートが配置され、前記導光板の前記光射出面と対向する側の面に反射シートが配置される請求項１ないし請求項７のいずれかに記載の液晶表示装置。
【発明の詳細な説明】
【技術分野】
【０００１】
本発明は、カラーフィルタ基板を有する液晶表示装置に関し、特に、バックライト装置の光源に白色光と青色光とを用い、カラーフィルタ基板に形成されたクリア層を通して青色光を透過させることによって、青色の色純度と輝度とを向上させた液晶表示装置に関する。
【背景技術】
【０００２】
近年、パーソナルコンピュータや携帯電話等の情報機器の表示装置、テレビ、ビデオムービー、カーナビゲーションシステム等の映像機器の表示装置として、軽量、薄型、低消費電力という特徴を備える液晶表示装置が多用されている。
【０００３】
このような液晶表示装置においては、通常、液晶表示パネルの背後から照明光を当てるためのバックライト装置が内蔵された構成のものが多く使用されている。
【０００４】
ここで、面光源の装置として用いられるバックライト装置は、光源の配置箇所によってエッジライト方式と直下方式とに大別される。例えばエッジライト方式は、液晶表示パネルに対向配置されている導光板の片側端面に、点光源であるＬＥＤ等を複数ならべて発光部を形成したり、あるいは管状光源（蛍光管等）の発光部を配置したりする方式である。また、直下方式は、蛍光管等の直管状の光源を液晶表示パネルの裏面に複数配置し、液晶表示パネルと光源との間に拡散板等を配置する方式である。
【０００５】
これら方式のうち、エッジライト方式は、薄型化の点で特に有利であり、例えば小型の携帯用電子機器やノート型のパーソナルコンピュータの表示装置に適した方式であると言える。
【０００６】
エッジライト方式のバックライト装置では、光源の光を面状光に変換する必要があり、そのため光源から入射した光を導くための導光板を設置するとともに、導光板の光射出面上に光学シートを配置するとともに、光射出面の反対面である背面に反射シートを配置することで、面状光への変換を可能とするとともに、輝度や指向性、光の均一性等を改善することが行われている。
【０００７】
一般に、エッジライト方式のバックライト装置を含む液晶表示装置は、バックライト装置の光源を白色光とし、当該白色光を赤色着色層、緑色着色層、青色着色層を備えるカラーフィルタを透過させることによって、所望の文字や映像等の画像が所定の明るさで表示されるように構成されている。
【先行技術文献】
【特許文献】
【０００８】
【特許文献１】特開２０１０−２４３９６０号公報
【特許文献２】特開２０１１−１９２４６８号公報
【０００９】
しかしながら、近時、カラーフィルタを有する液晶表示装置における画面の高輝度化の要求に対し、青色着色層の画素については、現在使用可能な顔料系で最も透過率に優れる顔料を適用しても、十分な光透過率が確保できているとは言えず、輝度が低下してしまう傾向がある。この一方で、光透過性に優れ、ある程度の耐熱性を有すると報告されているトリフェニルメタン系の染料を用いた場合であっても、トリフェニルメタン系の染料は、耐熱性と耐光性の点では顔料よりも劣るため、例えば液晶表示装置を形成する際に必須の工程である熱工程を経た後には、色度が変化するとともに輝度が低下してしまう傾向がある。
【発明の概要】
【発明が解決しようとする課題】
【００１０】
このような実情のもとに本発明は創案されたものであって、その目的は、青色の色純度と輝度を向上させることができる液晶表示装置を提供することにある。
【課題を解決するための手段】
【００１１】
上述してきた課題を解決するために、本発明は、バックライト装置と、液晶表示パネルと、を有する液晶表示装置であって、前記バックライト装置は、光源と、導光板とを有し、前記液晶表示パネルは、カラーフィルタ基板と、表示用アレイ基板とを有し、前記カラーフィルタ基板は、少なくとも赤色着色層と、緑色着色層と、クリア層とを有し、前記導光板は、光入射面と光射出面を有し、前記光源は、前記光入射面に光が導入されるように配置されるとともに、当該光源は、白色光を発する白色発光部と、青色光を発する青色発光部とを有するように構成される。
【００１２】
本発明の液晶表示装置のより好ましい態様として、前記光源は、前記導光板の片側端面である光入射面に沿って配置されており、前記光源を構成する前記白色発光部は、第１発光素子と第１封止体とを有し構成されており、前記光源を構成する前記青色発光部は、第２発光素子と第２封止体とを有し構成されており、前記白色発光部のベースとなる第１発光素子の設置数が、前記青色発光部のベースとなる第２発光素子の設置数よりも多く構成される。
【００１３】
本発明の液晶表示装置のより好ましい態様として、前記白色発光部のベースとなる第１発光素子の設置数をＳｗ、前記青色発光部のベースとなる第２発光素子の設置数をＳｂとした場合、Ｓｂ＝（０．３〜０．７）Ｓｗに構成される。
【００１４】
本発明の液晶表示装置のより好ましい態様として、前記光源は、基板と、この基板の上に形成された白色光を発する白色発光部と、青色光を発する青色発光部とを有して構成される。
【００１５】
本発明の液晶表示装置は、より好ましい態様として、フィールドシーケンシャル方式で駆動され、フィールドシーケンシャル方式による色表示手法を可能とするための制御回路部を備えるように構成される。
【００１６】
本発明の液晶表示装置のより好ましい態様として、前記白色発光部から発光される時間帯と、前記青色発光部から発光される時間帯とが、重なることなく区分されて操作されるように構成される。
【００１７】
本発明の液晶表示装置のより好ましい態様として、前記バックライト装置は、エッジライト方式で構成される。
【００１８】
本発明の液晶表示装置のより好ましい態様として、前記導光板の光射出面側に光学シートが配置され、前記導光板の前記光射出面と対向する側の面に反射シートが配置される。
【発明の効果】
【００１９】
本発明は、バックライト装置と、液晶表示パネルと、を有する液晶表示装置であって、バックライト装置は、光源と、導光板とを有し、液晶表示パネルは、カラーフィルタ基板と、表示用アレイ基板とを有し、カラーフィルタ基板は、赤色着色層と、緑色着色層と、クリア層とを有し、導光板は、光入射面と光射出面を有し、光源は、光入射面に光が導入されるように配置されるとともに、光源は、白色光を発する白色発光部と、青色光を発する青色発光部とを有し、カラーフィルタ基板に形成されたクリア層を通して青色光を透過させるように構成しているので、青色の色純度と輝度が向上する。さらに、青色着色材を添加する必要がないので、材料費を削減でき低コスト化を図ることが可能となる。
【図面の簡単な説明】
【００２０】
【図１】図１は、本発明の液晶表示装置に用いられるバックライト装置の一例を示す分解斜視図である。
【図２】図２は、図１に示されるα−α矢視平面図であって、バックライト装置の光源の要部構成を示す平面図である。
【図３】図３は、図２に準ずる平面図であって、バックライト装置の光源の要部構成の変形例を示す平面図である。
【図４】図４は、図２に準ずる平面図であって、バックライト装置の光源の要部構成の変形例を示す平面図である。
【図５】図５（Ａ）は、図２のβ１−β１矢視断面図であり、図５（Ｂ）は、図２のβ２−β２矢視断面図である。
【図６】図６は、液晶表示装置を構成するためのカラーフィルタ基板と表示用アレイ基板の一例を説明するための断面図である。
【図７】図７は、カラーフィルタ基板と表示用アレイ基板とバックライト装置とを組み合わせて形成された表示装置の部分断面図である。ただし、バックライト装置は断面図で表示されていない。
【図８】図８は、カラーフィルタ基板の画素部分の構成を説明するための平面図である。
【図９】図９は、本発明の液晶表示装置を本発明独自のフィールドシーケンシャル方式で駆動して特定の色を表示させる場合における、バックライト装置の白色発光部および青色発光部のそれぞれの点灯時間と、１画素を構成する赤色着色層、緑色着色層およびクリア層の各画素部分にそれぞれ対応するシャッタを開放するタイミングと、の関係を示す色表示のタイミングチャートである。
【発明を実施するための形態】
【００２１】
以下、図面を参照しながら、本発明を実施するための実施形態について詳細に説明する。なお、本発明は以下に説明する形態に限定されることはなく、技術思想を逸脱しない範囲において種々変形を行なって実施することが可能である。また、添付の図面においては、説明を分かり易くするために上下、左右の縮尺を誇張して図示することがあり、実際のものとは縮尺が異なる場合がある。
【００２２】
図１〜図９を参照しつつ本発明の好適な実施形態に係るカラーフィルタ基板を有する液晶表示装置について説明する。
【００２３】
本発明の液晶表示装置１は、図７に示されるように、液晶表示パネル１５０と、バックライト装置２００とを有し構成されており、液晶表示パネル１５０は、カラーフィルタ基板３０と、表示用アレイ基板１００と、液晶部１４０とを有し構成されている。
【００２４】
以下、これらの構成要素について、詳細に説明する。
まず、最初に本発明の液晶表示装置に用いられるバックライト装置２００について、図１〜図５を参照しつつ説明する。
【００２５】
＜バックライト装置２００＞
図１は、本発明の液晶表示装置１に用いられるバックライト装置２００の一例を示す分解斜視図である。図２は、図１に示されるα−α矢視平面図であって、バックライト装置の光源の要部構成を示す平面図である。図３および図４は、それぞれ、図２の変形例を示す平面図である。図５（Ａ）は、図２のβ１−β１矢視断面図であり、図５（Ｂ）は、図２のβ２−β２矢視断面図である。
【００２６】
図1に示されるように、バックライト装置２００は、光源２２０と、導光板２１０とを有している。導光板２１０は、略四角形状の平板形状をなしており、図において上方側の主平面である上面２１０ｂと下方側の主平面である下面２１０ｃと、これらの上面２１０ｂと下面２１０ｃとの周縁とを連結する４つの側面を有している。そして、本実施の形態においては、４つの側面の１つである導光板の片側端面２１０ａが、光入射面２１０ａを構成しており、この光入射面２１０ａに光が導入されるように光源２２０が配置される。このような配置によって、いわゆるエッジライト方式のバックライト装置を形成することができる。なお、光入射面２１０ａを除く、３つの側面には、反射膜を設けるようにしてもよい。
【００２７】
また、導光板２１０の下面２１０ｃには、通常、反射シート２６０が設けられ、導光板２１０の上面２１０ｂ（光射出面２１０ｂ）には、通常、光学シート２５０が設けられる。導光板２１０、光源２２０、光学シート２５０、反射シート２６０は、例えば金属製の薄箱状のバックケース２７０に収容される。
【００２８】
なお、導光板２１０は、透明性に優れて光透過性の良いポリカーボネート樹脂、アクリル樹脂等の材料を用いることができる。
【００２９】
また、導光板２１０の下面２１０ｃには、下面２１０ｃにおける反射光を拡散させるための微小突起のドットパターンを形成するようにしてもよい。また、導光板２１０の内部に光の進路方向を変化させるための散乱粒子を含有させるようにしてもよい。導光板２１０は、一般に、押し出し成形法、射出成形法等によって成形される。押し出し成形法を用いる場合には、通常、成形したシート体を所定の大きさに打ち抜くことによって導光板２１０が作製される。
【００３０】
（光源）
本発明における光源２２０は、図１〜図２に示されるように、長尺状の基板２２１と、この基板２２１の主面の上に形成された白色光を発する白色発光部２３０Ｗと、青色光を発する青色発光部２４０Ｂとを有して構成されたモジュールタイプの光源である。このような光源２２０は、通常、光入射面２１０ａに光が導入されるように、導光板２１０の片側端面２１０ａである光入射面２１０ａと一定の近接距離を保ちつつ略並行となるように対向配置されることが望ましい。
【００３１】
光源２２０を構成する一つの要素である白色発光部２３０Ｗは、ＬＥＤ素子等の第１発光素子２３１と第１封止体２３２とを有し構成されている。第１封止体２３２は、樹脂等の透光性材料と、必要に応じて用いられる蛍光体等の波長変換材料とを含んで構成される。蛍光体等の波長変換材料は、第１発光素子２３１からの光の波長を所望の波長に変換する必要がある場合に用いられる。
【００３２】
白色発光部２３０Ｗを構成する好適な具体例を例示すると、第１発光素子２３１として例えば青色光を出射するＧａＮ系の青色ＬＥＤを用い、第１封止体２３２として、例えば、青色光を白色光に変換するＹＡＧ蛍光体（（Ｙ，Ｇｄ）3Ａｌ5Ｏ12：Ｃｅ3+）、珪酸塩蛍光体（（Ｓｒ，Ｂａ）2ＳｉＯ4：Ｅｕ2+）、窒化物蛍光体（（Ｃａ，Ｓｒ，Ｂａ）ＡｌＳｉＮ3：Ｅｕ2+）、酸窒化物蛍光体（Ｂａ3Ｓｉ6Ｏ12Ｎ2:Ｅｕ2+）等の波長変換材料、および第１発光素子２３１および波長変換材料を覆うシリコーン樹脂等の透光性材料を用いることが挙げられる。この場合、白色発光部２３０Ｗは、青色ＬＥＤと青色光を白色光に変換する蛍光体とを有し形成されている白色ＬＥＤであるとみなすこともできる。なお、上記の具体例に限定されるものではなく、上記以外の構成によって白色光を発することのできる白色発光部２３０Ｗを構成するようにしてもよい。
【００３３】
この一方で、光源２２０を構成する他の一つの要素である青色発光部２４０Ｂは、ＬＥＤ素子等の第２発光素子２４１と第２封止体２４２とを有し構成される。すなわち、第２発光素子２４１と第２封止体２４２とで青色光を放つ１つの青色発光部２４０Ｂが構成され、第２封止体２４２は、樹脂等の透光性材料と、必要に応じて用いられる蛍光体等の波長変換材料とを含んで構成される。蛍光体等の波長変換材料は、第２発光素子２４１からの光の波長を所望の波長に変換する必要がある場合に用いられる。
【００３４】
青色発光部２４０Ｂを構成する好適な具体例を例示すると、第２発光素子２４１として例えば青色光を出射するＧａＮ系の青色ＬＥＤを用い、第２封止体２４２として、第２発光素子２４１を覆うシリコーン樹脂等の透光性材料を用いること挙げられる。ただし、このような具体例に限定されるものではなく、上記以外の構成によって、青色光を発することのできる青色発光部２４０Ｂを構成してもよい。例えば、第２発光素子２４１として青色よりも波長の短い光を出射するＬＥＤを用い、青色よりも波長の短い光を青色光に変換する蛍光体からなる波長変換材料、および第２発光素子２４１および波長変換材料を覆うシリコーン樹脂等の透光性材料を用いるようにしてもよい。
【００３５】
なお、第１発光素子２３１と第２発光素子２４１とは、同じ素子を用いることができる。
【００３６】
本発明においては、白色発光部２３０Ｗのベースとなる第１発光素子２３１の設置数が、青色発光部２４０Ｂのベースとなる第２発光素子２４１の設置数よりも多くなるように設定されている。より具体的には、白色発光部２３０Ｗのベースとなる第１発光素子２３１の設置数をＳｗ、青色発光部２４０のベースとなる第２発光素子２４１の設置数をＳｂとした場合、Ｓｂ＝（０．３〜０．７）Ｓｗ、より好ましくはＳｂ＝（０．４〜０．６）Ｓｗに設定される。
【００３７】
上記範囲に設定されるのは、本発明の液晶表示装置は、本願所望のカラーフィルタ基板を用いつつ、かつ、本願所望のフィールドシーケンシャル方式で駆動してカラー表示を行なうようにしているからである。すなわち、後に詳述するが、例えば、２／１８０秒の間、すべての白色発光部２３０Ｗを点灯させて、この点灯時間の間に、主として１画素の略２／３エリアを構成している赤色着色層および緑色着色層を透過させることによって赤色および緑色のカラー表示に寄与させるよう作用させ、そして、次の１／１８０秒の間、すべての青色発光部２４０Ｗを点灯させて、この点灯時間の間に、１画素の略１／３エリアを構成しているクリア層を透過させることによって青色カラー表示に寄与させるように作用させるためである。
【００３８】
図２に示される光源２２０における白色発光部２３０Ｗと青色発光部２４０Ｂとの配置個数の関係は、Ｓｂ＝０．５Ｓｗ、すなわち白色発光部２３０Ｗのトータル個数が全体の約６６．７％を占め、青色発光部２４０のトータル個数が全体の約３３．３％を占めるように構成されている。図２の場合、２つの白色発光部２３０Ｗが連続配置された後に１つの青色発光部２４０Ｂが配置された１単位が、繰り返されて配置されているが、これに限定されることなく、例えば、図３に示されるように、白色発光部２３０Ｗを１箇所に集約させるエリアと、青色発光部２４０Ｂを１箇所に集約させるエリアとを設けるようにしてもよい。また、図３に示されるように、白色発光部２３０Ｗと青色発光部２４０Ｂとを集約させた場合、図４に示されるように、上述した個別の第１封止体および第２封止体を、それぞれ纏めて一体化させた第１封止体２３６および第２封止体２４６とすることもできる。
【００３９】
なお、上述した第１発光素子２３１の設置数Ｓｗと第２発光素子２４１の設置数Ｓｂの設定割合に応じて、後述するカラーフィルタ基板に形成されている赤色着色層、緑色着色層およびクリア層のそれぞれの面積比率（画素開口比率）を適宜変更するようにすることもできる。
【００４０】
次いで、バックライト装置２００における他の構成について説明する。
（光学シート）
光学シート２５０は、導光板２１０の光射出面２１０ｂに配置され、通常、複数の単位プリズムを有する。光学シートは、光入射面２１０ａから導光板２１０内部に入射した光の進行方向を変化させて光射出面２１０ｂから出射させ、輝度等を集中的に向上させるために用いられる。このような光学シート２５０としては、液晶表示装置に用いられる一般的なものを用いることができる。なお、単位プリズムの断面形状、突出高さ、底面の幅、頂角の角度等については、公知の種々の形態を採択することができる
【００４１】
光学シート２５０の材料としては、複数の単位プリズムを有する光学シートを作製できるものであれば特に限定されるものではなく、例えば、ポリカーボネート樹脂、ＡＢＳ（アクリロニトリル−ブタジエン−スチレン共重合体）樹脂、メタクリル樹脂、メタクリル酸メチル−スチレン共重合体樹脂、ポリスチレン樹脂、アクリロニトリル−スチレン共重合体樹脂、ポリエチレン樹脂、ポリプロピレン樹脂等が挙げられる。
【００４２】
光学シートの厚みは、適宜調節すればよく、例えば、５μｍ〜１００μｍ程度とすることができる。光学シートの作製方法としては、一般的な方法を用いることができ、例えば、単位プリズムに対応する形状が表面に設けられた型を用いて、紫外線硬化性樹脂の表面に押圧した後、紫外線により硬化させる方法等が挙げられる。
【００４３】
（反射シート）
反射シート２６０は、導光板２１０の背面である下面２１０ｃに配置される。反射シート２６０は、導光板２１０の背面に向かう光を反射させて、再び導光板２１０内に入射させるために用いられる。反射シート２６０としては、一般的な反射シートを用いることができ、例えば、白色の散乱反射シート、金属等の高い反射率を有する材料からなるシート、高い反射率を有する材料からなる薄膜（例えば金属薄膜）を一部に備えるシート等を挙げることができる。
【００４４】
具体的な反射シート２６０の材料としては、ポリエチレンテレフタレート（ＰＥＴ（白ＰＥＴ））、ポリカーボネート（ＰＣ）、ポリスチレン、ポリオレフィン等の樹脂、ならびにアルミニウム、銀等の金属を挙げることができる。また、反射シート２６０に樹脂を用いる場合、反射性を高めるために、顔料を含む白色のシートとすることが好ましい。含有させる顔料としては、例えば、二酸化チタン、硫酸バリウム、炭酸マグネシウム、炭酸カルシウム等を挙げることができる。また、反射シート２６０の一部に金属薄膜を設ける場合には、銀、アルミニウム、クロム等の高い反射率を有する金属膜を蒸着法、スパッタリング法、ＣＶＤ法等により形成するようにすればよい。反射シート２６０として市販品を用いてもよい。市販品としては、例えば、住友スリーエム（株）製の（ビキュイティ）ＥＳＲ反射フィルム、東レ（株）製のＥ６０Ｖ等が挙げられる。このような市販品を用いる場合、導光板２１０と反射シート２６０との間に屈折率を整合させた樹脂等を介在させて貼り合わせるようにしてもよい。
【００４５】
反射シートの厚さは、特に限定されず、適宜調節すればよく、例えば、３０μｍ〜３００μｍ程度とすることができる。
【００４６】
（バックライト装置２００周辺のその他の構成）
本発明においては、図示していないが、さらに、透過光を拡散させる機能を有する拡散シートや、特定の偏光成分のみを透過させ、それ以外の偏光成分を反射させて偏光分離機能を有する偏光反射シートなどを、光学シート２５０の光射出面側に設けるようにしてもよい。
【００４７】
拡散シートは、光学シートから出射される光を拡散して輝度ムラを低減させる働きを有する部材である。拡散シートとしては、液晶表示装置に用いられている一般的なものを用いることができる。拡散シートの材料としては、例えば、メタクリル酸メチルスチレン共重合体、アクリロニトリルスチレン共重合体、ポリカーボネート（ＰＣ）、ポリエチレンテレフタレート（ＰＥＴ）、ポリスチレン等が挙げられる。また、拡散シートには粒子が含まれていてもよい。粒子としては、シリカ、アルミナ等の無機系粒子、ならびにアクリル樹脂、スチレン樹脂、ポリテトラフルオロエチレン、ポリフルオロビニリデン等のフッ素樹脂粒子、シリコーン樹脂粒子等が挙げられる。これらの粒子は、１種単独でまたは２種以上を組み合わせて用いることができる。粒子の平均粒径は、散乱性の点から０．３μｍ〜２．０μｍの範囲内であることが好ましい。粒子の含有量は、適宜調節すればよい。拡散シートの厚さは、例えば、５μｍ〜１００μｍ程度とすることができる。
【００４８】
偏光反射シートは、光学シート２５０から出射される光のうち、特定の偏光成分のみを透過させ、それ以外の偏光成分を反射させる、偏光分離機能を有する部材である。液晶表示装置において、液晶セルと偏光反射シートとの間に偏光板が設けられている場合、偏光板は特定の偏光成分のみを選択的に透過するので、偏光反射シートを用いて特定の偏光成分以外の偏光成分を選択的に反射させ再利用することで、偏光板を通過する光の量を実質的に多くし、輝度を向上させることができる。
【００４９】
偏光反射シートとしては、液晶表示装置に用いられている一般的なものを用いることができる。偏光反射シートとして市販品を用いてもよく、例えば、住友スリーエム（株）製のＤＢＥＦシリーズを用いることができる。
【００５０】
また、光源から発生する熱を逃がすためのヒートシンクを形成するようにしてもよい。
【００５１】
なお、バックライト装置２００の裏側等に、本発明における光源における白色発光部２３０Ｗ、青色発光部２４０Ｂの点灯を制御するための点灯制御回路を設けるようにしてもよい。
【００５２】
次いで、カラーフィルタ基板３０について説明する。
＜カラーフィルタ基板３０＞
図６の上方側に記載されているように、本発明の液晶表示装置１に用いられるカラーフィルタ基板３０は、透明基板１０と、この透明基板１０上に形成された画素部分である画素構成層１３と、画素構成層１３の周囲に形成された遮光部１２を有している。通常、基板の最外周に配置された画素構成層１３を除いた他の大部分の画素構成層１３に着目してみれば、遮光部１２は、隣接する画素構成層１３同士の間隙部分に存在する。
【００５３】
透明基板１０は、可視光に対して透明な基板であれば特に限定されるものではなく、一般的なカラーフィルタに用いられる透明基板と同様なものを用いることができる。具体的には、石英ガラス、パイレックス（登録商標）ガラス、合成石英などのリジッド材、あるいは、透明樹脂フィルム、光学用樹脂板等の可撓性を有する透明なフレキシブル材を用いることができる。
【００５４】
本発明で用いられるカラーフィルタ基板３０の特徴的な構造としては、画素構成層１３の種類として青色着色層が用いられることなく、その代わりに、光透過性のクリア層が用いられている点にある。
【００５５】
すなわち、図６および図８に示されるように、画素構成層１３は、赤色着色層１３Ｒ、緑色着色層１３Ｇおよびクリア層１３Ｔを有し、通常、これらが順次配列された状態でパターン形成されている。
【００５６】
前述したように、第１発光素子２３１の設置数Ｓｗと第２発光素子２４１の設置数Ｓｂの設定割合に応じて、カラーフィルタ基板３０に形成されている赤色着色層１３Ｒ、緑色着色層１３Ｇおよびクリア層１３Ｔのそれぞれの面積比率（画素開口比率）を適宜変更するようにすることができる。本発明において、カラーフィルタ基板３０を通しての色表示は、本願所望のフィールドシーケンシャル方式で行われるために、赤色着色層１３Ｒ、緑色着色層１３Ｇおよびクリア層１３Ｔの１組が１画素を構成する。本発明におけるフィールドシーケンシャル方式を用いた色表示方法の具体例については後に詳述する。
【００５７】
なお、図面における画素部分である画素構成層１３の数（画素数）はあくまで例示として記載されているものであり、図示例のものに限定されるものではない。画素構成層１３の形成方法としては、一般的なカラーフィルタにおける画素構成層１３の形成方法、例えば、フォトリソグラフィー法、インクジェット法、印刷法等を用いればよい。
【００５８】
赤色着色層１３Ｒに用いられる着色材料としては、例えば、ペリレン系顔料、レーキ顔料、アゾ系顔料、キナクリドン系顔料、アントラキノン系顔料、アントラセン系顔料、イソインドリン系顔料等が挙げられる。これらの顔料は単独で用いてもよく２種以上を混合して用いてもよい。
【００５９】
緑色着色層１３Ｇに用いられる着色材料としては、例えば、ハロゲン多置換フタロシアニン系顔料もしくはハロゲン多置換銅フタロシアニン系顔料等のフタロシアニン系顔料、トリフェニルメタン系塩基性染料、イソインドリン系顔料、イソインドリノン系顔料等が挙げられる。これらの顔料もしくは染料は単独で用いてもよく２種以上を混合して用いてもよい。
【００６０】
クリア層１３Ｔは、基本的に光源からの光をそのままの色相で透過させるように作用させる樹脂層であり、好ましくは無着色樹脂層とすることが望ましい。しかしながら、クリア層１３Ｔ透過後の光の色相を調整するために、クリア層１３Ｔの中に、色相調整用の色材を４％以下程度加えることも行われ得る。従って、本発明のクリア層１３Ｔとは、クリア層１３Ｔを構成する固形分に対して色相調整用の色材を４％以下含有させたものも包含される。クリア層１３Ｔを形成するための主材料としては、バインダーとして用いられる樹脂を使うことができるが、透明性に優れ、光透過率に優れる材料であれば特に限定されるものではない。クリア層１３Ｔに添加され得る色材としては、青色、シアン、マゼンタ、イエロー等の色材を例示することができる。
【００６１】
好適に用いることのできる具体的なバインダー樹脂としては、例えば、ベンジルメタクリレート：スチレン：アクリル酸：２−ヒドロキシエチルメタクリレートの共重合体等を挙げることができる。また、溶剤としては、ベンゼン、トルエン、キシレン、ｎ−ブチルベンゼン、ジエチルベンゼン、テトラリン等の炭化水素類、メトキシベンゼン、１，２−ジメトキシベンゼン、ジエチレングリコールジメチルエーテル等のエーテル類、アセトン、メチルエチルケトン、メチルイソブチルケトン、シクロヘキサノン、２，４−ペンタンジオン等のケトン類、酢酸エチル、エチレングリコールモノメチルエーテルアセテート、プロピレングリコールモノメチルエーテルアセテート、プロピレングリコールモノエチルエーテルアセテート、g−ブチロラクトン等のエステル類、２−ピロリドン、Ｎ−メチル−２−ピロリドン、ジメチルホルムアミド、ジメチルアセトアミド等のアミド系溶媒、クロロホルム、ジクロロメタン、四塩化炭素、ジクロロエタン、テトラクロロエタン、トリトリクロロエチレン、テトラクロロエチレン、クロロベンゼン、オルソジクロロベンゼン等のハロゲン系溶媒、ｔ−ブチルアルコール、ジアセトンアルコール、グリセリン、モノアセチン、エチレングリコール、トリエチレングリコール、ヘキシレングリコール、エチレングリコールモノメチルエーテル、エチルセルソルブ、ブチルセルソルブ等のアルコール類、フェノール、パラクロロフェノール等のフェノール類等の１種又は２種以上が使用可能である。
【００６２】
単一種の溶媒を使用しただけでは、塗布組成物の溶解性が不充分である場合や、塗布組成物を塗布する際における塗布の相手方となる素材（基材を構成する素材）が侵される虞がある場合等には、２種以上の溶媒を混合使用することにより、これらの不都合を回避することができる。また、必要に応じて、フッソ系界面活性剤や、ノニオン系界面活性剤等の界面活性剤を含有させるようにしてもよい。
【００６３】
本実施形態における遮光部１２（いわゆるブラックマトリックスと称されることもある）は、形成されることが望ましいが、本発明の作用効果を発現させるためには必須となるものではない。遮光部１２は、通常、格子状の遮光層として構成され、通常、黒色顔料とバインダー樹脂と溶剤とを含有したフォトレジストや印刷用インキ、あるいはクロムなどの金属を用いて構成される。印刷用インキに用いられる黒色顔料としては、例えば、カーボンブラック、チタンブラック等を挙げることができ、バインダー樹脂としては、例えば、ベンジルメタクリレート：スチレン：アクリル酸：２−ヒドロキシエチルメタクリレートの共重合体等を挙げることができ、溶剤としては、公知の種々の中から選定して用いることができる。遮光部１２の形成方法としては、フォトリソグラフィー法、各種のパターン印刷方法、各種のめっき方法等で形成することができる。
【００６４】
図６に示されるように、赤色着色層１３Ｒ、緑色着色層１３Ｇおよびクリア層１３Ｔを有する画素構成層１３を覆うように透明電極層１８が形成される。透明電極層１８を形成する材料としては、例えば透明性および導電性を有する金属酸化物等が挙げられる。このような金属酸化物としては、例えば酸化インジウム錫（ＩＴＯ）、酸化インジウム、酸化亜鉛、もしくは酸化第二錫等が挙げられる。透明電極層１８の膜厚は、５０ｎｍ〜１５００ｎｍ、より好ましくは、１２０ｎｍ〜１２００ｎｍとされる。
【００６５】
透明電極層１８の形成方法としては、例えば、蒸着法もしくはスパッタリング法等を用いるようにすればよい。なお、透明電極層１８を形成する前にオーバーコート層（保護膜）等を形成するようにしてもよい。
【００６６】
〔表示用アレイ基板１００についての説明〕
次いで、表示用アレイ基板１００（液晶ディスプレイ用基板）について、図６を参照しつつ説明する。
【００６７】
図６の下方側に示される表示用アレイ基板１００は、上述してきたカラーフィルタ基板３０と対向するように配置され、一体化されて表示装置を構成する。図６においては、対向配置されるカラーフィルタ基板３０も併せて記載してあり、図６に示されるカラーフィルタ基板３０は、表示装置を形成するために、透明電極層１８の上に、配向膜２０が形成された状態が描かれている。配向膜２０は、通常、カラーフィルタ基板３０の製造工程が完了し、表示装置を形成するための、次なるセル組み合わせ工程の際に設けられる。
【００６８】
図６に示されるごとく表示用アレイ基板１００は、光透過性基板５５上に、走査線（図示していない）、層間絶縁膜６０、マトリクス状に配置された多数の画素電極６５ａによって構成された透明電極６５、信号線７０、保護膜（パッシベーション膜）７５、スイッチング回路部（図示していない）、及び配向膜８０を有する構造を備えている。
【００６９】
走査線は図面上、表示されていないが、例えば、マトリクス状に配置された多数の画素電極６５ａの１つの行（紙面の左右方向）に１本ずつ対応するようにして配置されて、当該行の長手方向に延びるように構成される。各走査線は、例えば、タンタル（Ｔａ）、チタン（Ｔｉ）等の金属により形成することができる。これらの走査線は、層間絶縁膜６０により覆われている。
【００７０】
層間絶縁膜６０は、例えばシリコン酸化物等の電気絶縁性物質により形成されており、走査線と信号線７０とを電気的に分離しているとともに、画素電極６５ａと走査線とを電気的に分離するように形成されている。
【００７１】
各画素電極６５ａは、表示装置における１つの画素部分に１つずつ対応するように形成されている。画素電極６５ａを形成する材料としては、例えば透明性および導電性を有する金属酸化物等が挙げられる。このような金属酸化物としては、例えば酸化インジウム錫（ＩＴＯ）、酸化インジウム、酸化亜鉛、もしくは酸化第二錫等が挙げられる。形成される電極層の膜厚は、５０ｎｍ〜１５００ｎｍ、より好ましくは、１２０ｎｍ〜１２００ｎｍとされる。画素電極６５ａの形成方法としては、例えば、蒸着法もしくはスパッタリング法等を用いるようにすればよい。個々の画素電極６５ａの平面視上の形状は、例えば、四角形、四角形の１つの角部を矩形に切り欠いてできる六角形等の多角形とすることができるが、必ずしもこれらの形状に限定されるものではない。
【００７２】
信号線７０は、例えば、マトリクス状に配置された多数の画素電極６５ａの１つの列（紙面の奥域側方向）に１本ずつ対応するようにして配置されて、当該列の長手方向に延びるように構成される。各信号線７０は、例えばタンタル（Ｔａ）、チタン（Ｔｉ）等の金属により形成することができる。これらの信号線７０は、保護膜７５により覆われている。
【００７３】
保護膜７５は、例えばシリコン窒化物等により形成されており、本体の保護膜機能を果たすとともに、信号線７０と画素電極６５ａとを電気的に分離させるように作用している。
【００７４】
スイッチング回路部は、図６には表示されていないが、１つの画素電極６５ａに１つずつ対応して配置されており、このスイッチング回路部が対応している画素電極６５ａと走査線及び信号線７０とを電気的に接続している。
【００７５】
個々のスイッチング回路部は、対応する走査線から信号の供給を受けて、信号線７０と画素電極６５ａとの導通を制御する。各スイッチング回路部は、例えばアクティブ素子を用いて構成することができる。前記のアクティブ素子としては、例えば、薄膜トランジスタ（ＴＦＴ）等の３端子型素子やＭＩＭ（Metal Insulator Metal）ダイオード等の２端子型素子が用いられるが、必ずしもこれらに限定されるわけではない。
【００７６】
配向膜８０は、表示装置中の液晶を水平配向させることが可能な水平配向膜、又は、液晶を垂直配向させることが可能な垂直配向膜として構成することができる。水平配向膜及び垂直配向膜のいずれを用いるかは、表示装置の動作モード等に応じて適宜選択することができる。表示用アレイ基板１００側に形成される配向膜８０は、カラーフィルタ基板３０側に形成される配向膜２０と同様な構成とすることができる。
【００７７】
本発明の液晶表示装置１に用いられる表示用アレイ基板１００は、本願所望のフィールドシーケンシャル方式で駆動されるように構成されている。本発明でいうフィールドシーケンシャル方式（field sequential）とは、白色発光部２３０Ｗと青色発光部２４０Ｂを順次高速で点滅させて（例えば、白色発光部２３０Ｗを２／１８０秒、青色発光部２４０を１／１８０秒、繰り返し点滅させて）、これらの白色光ないし青色光を適宜カラーフィルタ基板３０に設けられた赤色着色層１３Ｒ、緑色着色層１３Ｇおよびクリア層１３Ｔを透過させることによって、人間の残像現象を利用した画像表示方式をいう。白色発光部２３０Ｗから発光された白色光は、主として、赤色着色層１３Ｒ、緑色着色層１３Ｇに対して作用し、青色発光部２４０Ｂから発光された青色はクリア層１３Ｔに対して作用する。これについては、後に図９を参照しつつ詳述する。
【００７８】
〔液晶表示装置の構成〕
上述したごとく配向層２０が形成されたカラーフィルタ基板３０と、配向層８０が形成された表示用アレイ基板１００は、図７に示されるように、互いの配向層２０と配向層８０とが対向するように配置され、所定の間隙をあけた状態で、液晶材料を充填する充填口を残してシール材（例えば、熱硬化性樹脂）９０により貼り合わされる。
【００７９】
表示用アレイ基板１００とカラーフィルタ基板３０との間隙（セルギャップ）は、図示されていないスペーサ（例えば球状スペーサ又は柱状スペーサ）により一定に保たれており、両者の間の間隙には充填口から液晶材料が充填されて液晶層９１が形成される。液晶層９１に用いられる液晶としては、本願所望のフィールドシーケンシャル方式に対応するために応答速度が数十μｓ程度の高速応答が可能な強誘電体性等の液晶を用いることが好ましい。液晶充填後の充填口は封止される。そして、図７に示されるように、表示用アレイ基板１００の光透過性基板５５の背後に、光源であるバックライト装置２００が配置されて、液晶表示装置１が形成される。
【００８０】
なお、図示していないが、通常、表示用アレイ基板１００とカラーフィルタ基板３０の外表面には、それぞれ、偏光板が偏光軸を互いに直交する状態で貼り合わされている。
【００８１】
〔本発明の液晶表示装置のフィールドシーケンシャル方式による色表示手法〕
図９を参照しつつ、本発明の液晶表示装置のフィールドシーケンシャル方式による色表示手法について説明する。本発明においては、本願独自のフィールドシーケンシャル方式による色表示手法を可能とするための制御回路部を備えている。
【００８２】
図９は、本発明の液晶表示装置１をフィールドシーケンシャル方式で駆動して特定の色を表示させる場合における、バックライト装置の白色発光部２３０Ｗおよび青色発光部２４０Ｂのそれぞれの点灯時間（横軸）と、１画素を構成する赤色着色層、緑色着色層およびクリア層の各画素部分にそれぞれ対応するシャッタを開放するタイミングと、の関係を示す色表示のタイミングチャートである。
【００８３】
図９における本発明のフィールドシーケンシャル方式（field sequential）は、光源であるバックライト装置の白色発光部２３０Ｗを例えば２／１８０秒、青色発光部２４０Ｂを例えば１／１８０秒、繰り返し点滅させている。白色発光部から発光される時間帯と、前記青色発光部から発光される時間帯とは、重なることなく区分されて操作される。
【００８４】
これらの光源に対して、図９における「１３Ｒ open」とは、図８に示される１画素の一部を構成する赤色着色層１３Ｒに対応するシャッタを開放している状態を示し、「１３Ｇ open」とは、図８に示される１画素の一部を構成する緑色着色層１３Ｇに対応するシャッタを開放している状態を示し、「１３Ｔ open」とは、図８に示される１画素の一部を構成するクリア層１３Ｔに対応するシャッタを開放している状態を示す。図９において、上記の「１３Ｒ open」、「１３Ｇ open」、「１３Ｔ open」等の表示のないエリアは、１画素を構成している赤色着色層１３Ｒ、緑色着色層１３Ｇ、およびクリア層１３Ｔに対応するシャッタは全て閉じたままの状態にあり、当該エリアは、図９において点線で描かれている。
【００８５】
図９におけるＮｏ．１〜Ｎｏ．９は、それぞれ、白表示、白表示、赤表示、緑表示、青表示、黄表示、マゼンタ表示、シアン表示、および黒表示を行う場合の色表示のタイミングチャートの一例を示している。以下、図９を参照しつつ各Ｎｏ．毎に説明する。
【００８６】
（１）Ｎｏ．１：白表示
バックライト装置の白色発光部２３０Ｗを２／１８０秒点灯している間、この２／１８０秒間を「１３Ｔ open」とする。すなわち、図８に示される１画素の一部を構成するクリア層１３Ｔに対応するシャッタを開放し、白色光を透過させる。この場合、光源である白色光をそのまま用いることができる。「１３Ｔ open」の時間は、１／１８０秒とすることもできる（ａ〜ｂ間、あるいはｂ〜ｃ間）。
【００８７】
（２）Ｎｏ．２：白表示
バックライト装置の白色発光部２３０Ｗが２／１８０秒点灯している間、１／１８０秒間を「１３Ｒ open」とし、次の１／１８０秒間を「１３Ｇ open」とする。そして、次のバックライト装置の青色発光部２４０Ｂが１／１８０秒点灯している間、この１／１８０秒間を「１３Ｔ open」とする。これによって、透過する赤、緑、青の残像色の合成によって１画素としての白表示が認識される。「１３Ｒ open」と「１３Ｇ open」とは逆にしてもよい。
【００８８】
（３）Ｎｏ．３：赤表示
バックライト装置の白色発光部２３０Ｗが２／１８０秒点灯している間、１／１８０秒間を「１３Ｒ open」とする。これによって、透過する赤の残像色によって１画素としての赤表示が認識される。「１３Ｒ open」の時間は、２／１８０秒とすることもできる（ａ〜ｃ間）。なお、バックライト装置の白色発光部２３０Ｗが点灯している間は、緑色着色層１３Ｇに対応する液晶シャッタは閉じられている。
【００８９】
（４）Ｎｏ．４：緑表示
バックライト装置の白色発光部２３０Ｗが２／１８０秒点灯している間、１／１８０秒間を「１３Ｇ open」とする。これによって、透過する緑の残像色によって１画素としての緑表示が認識される。「１３Ｇ open」の時間は、２／１８０秒とすることもできる（ａ〜ｃ間）。なお、バックライト装置の白色発光部２３０Ｗが点灯している間は、赤色着色層１３Ｒに対応する液晶シャッタは閉じられている。
【００９０】
（５）Ｎｏ．５：青表示
バックライト装置の青色発光部２４０Ｂが１／１８０秒点灯している間、この１／１８０秒間を「１３Ｔ open」とする。これによって、透過する青の残像色によって１画素としての青表示が認識される。
【００９１】
（６）Ｎｏ．６：黄表示
バックライト装置の白色発光部２３０Ｗが２／１８０秒点灯している間、１／１８０秒間を「１３Ｒ open」とし、次の１／１８０秒間を「１３Ｇ open」とする。これによって、透過する赤、緑の残像色の合成によって１画素としての黄表示が認識される。「１３Ｒ open」と「１３Ｇ open」とは逆にしてもよい。「１３Ｒ open」の際、緑色着色層１３Ｇに対応する液晶シャッタは閉じられている。「１３Ｇ open」の際、赤色着色層１３Ｒに対応する液晶シャッタは閉じられている。
【００９２】
（７）Ｎｏ．７：マゼンタ表示
バックライト装置の白色発光部２３０Ｗが２／１８０秒点灯している間、１／１８０秒間を「１３Ｒ open」とする。加えて、バックライト装置の青色発光部２４０Ｂが１／１８０秒点灯している間、この１／１８０秒間を「１３Ｔ open」とする。これによって、透過する赤、青の残像色の合成によって１画素としてのマゼンタ表示が認識される。
【００９３】
「１３Ｒ open」は、ａ〜ｂ間の１／１８０秒に代えて、ｂ〜ｃ間の１／１８０秒としてもよい。さらに、ａ〜ｃ間の連続した２／１８０秒とすることもできる。「１３Ｒ open」の際、緑色着色層１３Ｇに対応する液晶シャッタは閉じられている。
【００９４】
（８）Ｎｏ．８：シアン表示
バックライト装置の白色発光部２３０Ｗが２／１８０秒点灯している間、１／１８０秒間を「１３Ｇ open」とする。加えて、バックライト装置の青色発光部２４０Ｂが１／１８０秒点灯している間、この１／１８０秒間を「１３Ｔ open」とする。これによって、透過する緑、青の残像色の合成によって１画素としてのシアン表示が認識される。
【００９５】
「１３Ｇ open」は、ｂ〜ｃ間の１／１８０秒に代えて、ａ〜ｂ間の１／１８０秒としてもよい。さらに、ａ〜ｃ間の連続した２／１８０秒とすることもできる。「１３Ｇ open」の際、赤色着色層１３Ｒに対応する液晶シャッタは閉じられている。
【００９６】
（９）Ｎｏ．９：黒表示
バックライト装置の白色発光部２３０Ｗが２／１８０秒点灯している間およびバックライト装置の青色発光部２４０Ｂが１／１８０秒点灯している間、１画素を構成している赤色着色層１３Ｒ緑色着色層１３Ｇクリア層１３Ｔに対応するシャッタは全て閉じたままの状態にある。これによって１画素としての黒表示が認識される。
【００９７】
以下に具体的実施例を示し、本発明をさらに詳細に説明するが、本発明は以下の実施例に限定解釈されるものではない。
【実施例】
【００９８】
［実施例１］
（カラーフィルタ基板３０の作製）
基板として、平面の大きさが３７０ｍｍ×４７０ｍｍであり、厚さが０．７ｍｍのガラス基板（コーニング社製１７３７ガラス）を準備した。
【００９９】
この基板を定法にしたがって洗浄した後、ネガ型感光性レジスト（東京応化工業（株）製 CFPR DN-83）を塗布し、所定のマスクを介して露光、現像して焼成して、遮光部１２であるブラックマトリックスを形成した。
【０１００】
次いで、下記に示される赤色着色層１３Ｒを形成するための赤色パターン用のネガ型感光性樹脂組成物、緑色着色層１３Ｇを形成するための緑色パターン用のネガ型感光性樹脂組成物、およびクリア層１３Ｔを形成するための透明無着色パターン用のネガ型感光性樹脂組成物、を調製した。
【０１０１】
＜赤色パターン用のネガ型感光性樹脂組成物＞
・赤顔料（チバ・スペシャリティ・ケミカルズ社製 クロモフタルレッドＡ２Ｂ）…２．０重量部
・赤顔料（チバ・スペシャリティ・ケミカルズ社製 クロモフタルレッドＢＰ）…１．０重量部
・分散剤（ビックケミー社製 ディスパービック１６１）…１．５重量部
・モノマー（サートマー社製 ＳＲ３９９）…４．０重量部
・ポリマーＩ…５．０重量部
・開始剤（チバ・スペシャリティ・ケミカルズ社製 イルガキュア９０７）…１．４重量部
・開始剤（２，２´−ビス（ｏ−クロロフェニル）−４，５，４´，５´−テトラフェニル−１，２´−ビイミダゾール）…０．６重量部
・溶剤（プロピレングリコールモノメチルエーテルアセテート）…８０．０重量部
【０１０２】
＜緑色パターン用のネガ型感光性樹脂組成物＞
・緑顔料（大日精化社製 シアニングリーン５３７０）…１．２重量部
・緑顔料（大日精化社製 シアニングリーン２ＧＮ）…１．６重量部
・黄顔料（ランクセス社製 Ｂｙｐｌａｓｔ イエロー ５ＧＮ０１）…１．２重量部
・分散剤（ビックケミー社製 ディスパービック１６１）…２．０重量部
・モノマー（サートマー社製 ＳＲ３９９）…４．０重量部
・ポリマーＩ…５．０重量部
・開始剤（チバ・スペシャリティ・ケミカルズ社製 イルガキュア９０７）…１．４重量部
・開始剤（２，２´−ビス（ｏ−クロロフェニル）−４，５，４´，５´−テトラフェニル−１，２´−ビイミダゾール）…０．６重量部
・溶剤（プロピレングリコールモノメチルエーテルアセテート）…８０．０重量部
【０１０３】
＜透明無着色パターン用のネガ型感光性樹脂組成物＞
・モノマー（サートマー社製 ＳＲ３９９）…４．０重量部
・ポリマーＩ…５．０重量部
・開始剤（チバ・スペシャリティ・ケミカルズ社製 イルガキュア９０７）…１．４重量部
・開始剤（２，２´−ビス（ｏ−クロロフェニル）−４，５，４´，５´−テトラフェニル−１，２´−ビイミダゾール）…０．６重量部
・溶剤（プロピレングリコールモノメチルエーテルアセテート）…５０．０重量部
【０１０４】
なお、上記のポリマーＩは、ベンジルメタクリレート：スチレン：アクリル酸：２−ヒドロキシエチルメタクリレート＝１５．６：３７．０：３０．５：１６．９（モル比）の共重合体１００モル％に対して、２−メタクリロイルオキシエチルイソシアネートを１６．９モル％付加したものであり、重量平均分子量は４２５００である。
【０１０５】
次いで、ガラス基板上にブラックマトリックスを覆うように赤色パターン用のネガ型感光性樹脂組成物をスピンコート法により塗布し、赤色パターン用のフォトマスクを介して、露光、現像して、焼成して赤色パターンを形成した。その後、緑色パターン用のネガ型感光性樹脂組成物、透明無着色パターン用のネガ型感光性樹脂組成物を用いて、上記の赤色パターン形成と同様の操作により、緑色パターンおよび透明無着色パターンを形成した。これにより、赤色パターン、緑色パターン、および透明無着色パターンが配列された画素構成層を形成した。なお、配列の形態は図８に示されるような形態とした。
【０１０６】
次いで、上記の各画素構成層を形成したガラス基板上に、カラーフィルタ保護膜用組成物として下記の保護膜用組成物をスピンコート法により塗布した。
【０１０７】
＜保護膜用組成物の組成＞
・メタクリル酸メチル−スチレン−アクリル酸共重合体…３２重量部
・エピコート１８０Ｓ７０（ジャパンエポキシレジン（株）製）…１８重量部
・ジペンタエリスリトールペンタアクリレート…４２重量部
・開始剤（チバスペシャリティケミカルズ社製イルガキュア９０７）…８重量部
・３−メトキシブチルアセテート…３００重量部
次に、フォトマスクを介して、露光、現像して、焼成して保護膜を形成した後、この上に透明電極層を形成し、カラーフィルタ基板を作製した。
【０１０８】
（バックライト装置２００の作製）
図１に示されるようなバックライト装置２００を作製した。
【０１０９】
導光板２１０としては、縦×横の寸法が３００ｍｍ×４００ｍｍであり、厚みが０．５ｍｍのポリカーボネート樹脂性基板を用いた。
【０１１０】
光源２２０は、図１や図２に示されるようにアクリル製の基板の上に白色光を発する白色発光部２３０Ｗと、青色光を発する青色発光部２４０Ｂとが２：１の個数比（トータル個数は図示のごとく９個）で配置形成されたものを用いた。
【０１１１】
青色発光部２４０Ｂは、青色光を出射するＧａＮ系のＬＥＤ発光素子と透光性材料であるシリコーン樹脂からなる封止体とから形成した。白色光を発する白色発光部２３０Ｗは、青色光を出射するＧａＮ系のＬＥＤ発光素子と、波長変換材料であるＹＡＧ蛍光体（（Ｙ，Ｇｄ）3Ａｌ5Ｏ12：Ｃｅ3+）および透光性材料であるシリコーン樹脂からなる封止体から形成した。
【０１１２】
反射シート２６０として、厚さ２５０μｍの白色ポリエステルフィルムを導光板２１０の背面に配置した。
【０１１３】
光学シート２５０として、いわゆるプリズムシートとしての光学シートを導光板の出光面側に配置した。光学シート（プリズムシート）は、厚さ１２５μｍのポリエステルフィルム上に、アクリル系紫外線硬化型樹脂を用いて複数の単位プリズムを形成することで作製した。
【０１１４】
（表示用アレイ基板１００の作製）
次いで、上記のカラーフィルタ基板３０と対をなす表示用アレイ基板１００を以下の要領で作製した。
【０１１５】
まず、基板として、大きさが３７０ｍｍ×４７０ｍｍ、厚さが０．７ｍｍのガラス基板（コーニング社製１７３７ガラス）を準備した。
【０１１６】
この基板を定法に従って、画素ごとに配した発光部の素子に流れる電流を、素子ごとに設けた駆動回路内のＴＦＴ（Thin Film Transistor）によって制御することのできる表示用アレイ基板１００を作製した。
【０１１７】
（液晶表示装置１の作製）
配向層２０が形成されたカラーフィルタ基板３０と、配向層８０が形成された表示用アレイ基板１００とを、図７に示されるように、所定の間隙を空けて対向配置させ、間隙内に液晶材料を充填させた状態でシール剤９０により貼り合わせた。
【０１１８】
その後、図７に示されるように、表示用アレイ基板１００の光透過性基板５５の背後に、光源であるバックライト部２００を配置して、本発明の液晶表示装置１を作製した。
【０１１９】
なお、カラーフィルタ基板３０を透過させて行う色表示の手法は、図９に示されるような本発明独自のフィールドシーケンシャル方式とした。
【０１２０】
［比較例１］
上記実施例１で用いたカラーフィルタ基板３０のクリア層１３Ｔを、下記の青色パターン用のネガ型感光性樹脂組成物を用いて形成した青色着色層に変えた。さらに、上記実施例１で用いたバックライト装置２００の光源２２０を白色光を発する白色発光部２３０Ｗのみとした（トータル個数は９個）。なお、カラーフィルタ基板を透過させて行う色表示の手法は、白色光を発する光源のみを持つバックライト装置を用いて行われている従来のいわゆる面分割の方式とした。
【０１２１】
それ以外は、実質的に実施例１の場合と同様にして、比較例の液晶表示装置を作製した。
【０１２２】
＜青色パターン用のネガ型感光性樹脂組成物＞
・紫顔料（Clariant社製 商品名Novotex Violet BL-PC VP2429）…０．６重量部
・青顔料（ＢＡＳＦ社製 ヘリオゲンブルーＬ６７００Ｆ）…１．４重量部
・顔料誘導体（アビシア社製 ソルスパース５０００）…０．２重量部
・分散剤（ビックケミー社製ディスパービック１６１）…０．８重量部
・モノマー（サートマー社製 ＳＲ３９９）…４．０重量部
・ポリマーＩ…５．０重量部
・開始剤（チバ・スペシャリティ・ケミカルズ社製 イルガキュア９０７）…１．４重量部
・開始剤（２，２´−ビス（ｏ−クロロフェニル）−４，５，４´，５´−テトラフェニル−１，２´−ビイミダゾール）…０．６重量部
・溶剤（プロピレングリコールモノメチルエーテルアセテート）…８０．０重量部
【０１２３】
上記の実施例１の液晶表示装置サンプルおよび比較例１の液晶表示装置サンプルについて、下記の要領で、光学特性試験を行った。
【０１２４】
＜＜光学特性試験＞＞  
上記の実施例１の液晶表示装置サンプルおよび比較例１の液晶表示装置サンプルにおけるカラーフィルタ基板の透過光において、ＣＩＥ色度座標における赤色、緑色、青色、およびこれらの３色を合成して形成した合成ホワイトのそれぞれの色度座標ｘ、ｙおよび輝度Ｙを顕微分光装置ＯＳＰ−ＳＰ２０００（ＯＬＹＭＰＵＳ社製）を用いて測定した。また、色再現範囲の指標であるＮＴＳＣ比も求めた。
【０１２５】
結果を下記表１〜表２に示した。
【０１２６】
【表１】
2013205544.tif 000003
【０１２７】
【表２】
2013205544.tif 000004
【０１２８】
上記の結果より本発明の効果は明らかである。
【０１２９】
すなわち、本発明の液晶表示装置は、特に、バックライト装置の光源に白色光と青色光とを用い、カラーフィルタ基板に形成されたクリア層を通して青色光を透過させるように構成させているので、青色の色純度と輝度とを向上させることができる。これにより、ＲＧＢ合成による白色光の輝度をも向上させることができる。ＮＴＳＣ比も向上する。
【産業上の利用可能性】
【０１３０】
フラットディスプレイを含む電子産業で幅広く利用可能である。
【符号の説明】
【０１３１】
１…液晶表示装置
１３Ｒ…赤色着色層
１３Ｇ…緑色着色層
１３Ｔ…クリア層
３０…カラーフィルタ基板
１００…表示用アレイ基板
１５０…液晶表示パネル
２００…バックライト装置
２１０…導光板
２１０ａ…光入射面
２１０ｂ…光射出面
２２０…光源
２３０Ｗ…白色発光部
２３１…第１発光素子
２３２…第１封止体
２４０Ｂ…青色発光部
２４１…第２発光素子
２４２…第２封止体
【図１】
2013205544.tif 000005
【図２】
2013205544.tif 000006
【図３】
2013205544.tif 000007
【図４】
2013205544.tif 000008
【図５】
2013205544.tif 000009
【図６】
2013205544.tif 000010
【図７】
2013205544.tif 000011
【図８】
2013205544.tif 000012
【図９】
2013205544.tif 000013